(57)【要約】【課題】送風向きを簡単な操作一つで自在に変更可能にできるようにした送風機を提供する。【解決手段】ベース１と、このベース１から立ち上がるスタンド３，５と、このスタンド３，５に取り付けられて前方へ風を送り出すことのできる送風部本体１１を内装した送風部９とを備える。スタンド３，５と送風部９は、送風方向に対応する前後方向に軸中心を向けた連結軸４，６，８により、前後方向に直交する面内で独立して角度調節自在に保持されている。【選択図】図１
0003122979.tif 000002
【実用新案登録請求の範囲】
【請求項１】
ベースと、このベースから立ち上がるスタンドと、このスタンドに取り付けられて前方へ風を送り出すことのできる送風部本体を内装した送風部とを備えた送風機において、
前記スタンドおよび送風部は、送風方向に対応する前後方向に軸中心を向けた連結軸により、前記前後方向に直交する面内で独立して角度調節自在に保持されていることを特徴とする送風機。
【請求項２】
前記スタンドは、上下複数段階に分割され相互は連結軸により屈曲自在とされている請求項１に記載の送風機。
【請求項３】
前記送風部は、前記連結軸に直交する横方向を軸中心とする起倒支持軸を介して前後に起倒すべく角度調節自在とされている請求項１又は２に記載の送風機。
【請求項４】
ベースと、このベースから立ち上がるスタンドと、このスタンドに取り付けられて前方へ風を送り出すことのできる送風部本体を内装した送風部とを備えた送風機において、
前記送風部は、上下複数段に積み重ね状をなして縦軸を介して連結されて各送風部が独立して縦軸回りに回転すべく角度調節自在とされていることを特徴とする送風機。
【請求項５】
前記送風部は、最下段のものが固定されており、それより上側のものが独立して角度調節自在となっている請求項４に記載の送風機。
【考案の詳細な説明】
【技術分野】
【０００１】
本考案は送風機に関し、詳しくは、ベースと、このベースから立ち上がるスタンドと、このスタンドに取り付けられて前方へ風を送り出すことのできる送風部本体を内装した送風部とを備えた送風機に関する。
【背景技術】
【０００２】
最近、首振り機構がなく集中した定向流を送るものとして、簡易型で安価な小型扇風機が移動の楽なこともあって多用されている。
【０００３】
例えば、特開２００２−１８８５９３に開示された小型扇風機がある。この扇風機は、脚部に枢支部を介して送風部を設け、この送風部を、前ガード付き本体ケースとファン付きモーターとで構成してある。
【考案の開示】
【考案が解決しようとする課題】
【０００４】
しかしながら、この小型扇風機は、卓上や壁上に設置することはできるものの、送風部それ自体が完全定向流式のものであるため、使用者の高さが変わったり横移動したりすれば全く機能しなくなり、枢支部を緩めて角度調節したり機器全体を持ち上げて送風向きを変える必要があって、使い勝手の悪いものであった。
【０００５】
そこで、本考案は上記従来技術の有する問題点に鑑みてなされたもので、その課題は、送風向きを簡単な操作一つで自在に変更可能にした送風機を提供することにある。
【課題を解決するための手段】
【０００６】
上記課題は、各請求項記載の考案により達成される。すなわち、本考案の送風機の特徴構成は、ベースと、このベースから立ち上がるスタンドと、このスタンドに取り付けられて前方へ風を送り出すことのできる送風部本体を内装した送風部とを備えていて、前記スタンドおよび送風部は、送風方向に対応する前後方向に軸中心を向けた連結軸により、前記前後方向に直交する面内で独立して角度調節自在に保持されていることにある。ここに、送風機は一般的なファンを回転駆動する扇風機の他に、送風駆動部をベースなどに配し、その吹出口のみを送風部に配したタイプのものも含む。
【０００７】
この構成によれば、スタンドを前記前後方向に直交する面内で角度調節すれば、送風部を高さ方向および横方向の複合方向に移動させることができ、その結果、使用者に高さや横移動などがあってもそれに追従して送風位置を自由に変更できて広い範囲での送風機能を発揮することができる。
【０００８】
前記スタンドは、上下複数段階に分割され相互は連結軸により屈曲自在とされていることが好ましい。
【０００９】
この構成によれば、スタンドの中途が屈曲するのでより細かい面内移動調節が可能になる。特に、スタンドが屈曲するので、フロアー上に設置してそのベース側をレジ台の下奥に配置する一方送風部をレジ台の外部に配置するということが可能になり、足がスタンドに当たって邪魔になるといった不都合が生じないようになる。
【００１０】
前記送風部は、前記連結軸に直交する横方向を軸中心とする起倒支持軸を介して前後に起倒すべく角度調節自在とされていることが好ましい。
【００１１】
この構成によれば、前記面内以外の方向にも送風部を向けることができるので、送風範囲を一段と拡大することができる。
【００１２】
本発考案の送風機の特徴構成として、ベースと、このベースから立ち上がるスタンドと、このスタンドに取り付けられて前方へ風を送り出すことのできる送風部本体を内装した送風部とを備えていて、前記送風部は、上下複数段に積み重ね状をなして縦軸を介して連結されて各送風部が独立して縦軸回りに回転すべく角度調節自在とされている構成であってもよい。
【００１３】
この構成によれば、使用者に高さや横移動などがあってもそれに追従して送風向きを自由に変更できて広い範囲での送風機能を発揮することができる。
【００１４】
前記送風部は、最下段のものが固定されており、それより上側のものが独立して角度調節自在となっていることが好ましい。
【００１５】
この構成によれば、最下段の送風部が固定されているので、それより上側の角度調節される送風部が常に安定に支持されて送風駆動も安定化する。
【考案を実施するための最良の形態】
【００１６】
本考案の送風機の実施形態を、図面を参照して詳しく説明する。
〈第１実施形態〉
図１は、第１実施形態に係る送風機（扇風機）の正面図、図２は、第１実施形態の背面図、図３は図１の右側面図である。
【００１７】
この実施形態の送風機は、平面円盤形をしたベース１を備え、このベース１の中央上面から基部固定スタンド２が立ち上がると共に、この基部固定スタンド２を介して下部スタンド３が連結され、この下部スタンド３は、図１の紙面に直交する前後方向である送風方向に対応する軸中心をもつ下部連結軸４を介して、左右（前記前後方向に直交する面内）に角度調節可能に連結してある。
【００１８】
下部スタンド３の上側には、やや細目の上部スタンド５が中間連結軸６を介して、同じく前記前後方向に直交する面内で角度調節可能に連結されると共に、上部スタンド５の上側には、正面からみて略Ｕ字形をなす受けフレーム７が上部連結軸８を介して、同じく前記面内で角度調節可能に連結されている。受けフレーム７は、左右対向状をした軸受部を有し、その軸受部を介して送風部９が連結されている。その連結は、横方向に軸中心を向けた左右の起倒支持軸１０（図３に破線で示す）を介してなされ、これにより、送風部９が前後に起倒すべく構成されている。これにより、各スタンド３，５は屈曲自在とされると共に、上部スタンド５と送風部９も屈曲自在とされていて、送風部９は独自に前後に起倒自在とされている。
【００１９】
送風部９は、内部の送風部本体１１と外部の外装カバーからなっている。送風部本体１１は、図示しないが外周が正面からみて正四角形をしたボックス型のもので、その内周が円形風洞型とされたものであり、その中央に駆動部（モーター）が配置され、外周にファン１８を有するものとされて、前方へ送風自在になっている。この送風部本体１１の底部は、前記起倒支持軸１０が通されるボトムボックス１２とされ、その背面には、図２に示すような入切スイッチ１３が設けられている。
【００２０】
外装カバーは、図１に示すように、正面からみて小型サイズ（縦×横：約１２５×１２５（mm））の正四角形を基本とした樹脂製外枠体に、フロントグリル１４を一体形成した前枠１５と、リアメッシュ１６を張った背枠１７とを前後に分解可能に合着して構成されている。
【００２１】
なお、前記送風部９の全体形状は正面からみて正四角形のほか、他の多角形、丸胴形、あるいは楕円胴形など他の幾何学形状であってもよい。また、前記各連結軸４，６，８および起倒支持軸１０回りの締め付けは、使用者の一定以上の付加力によりはじめて回転可能であり、付加力を解除すると、その状態を保持する角度保持型連結方式を採用することができるように構成する一方において、緩・締操作によるものであってもよい。
【００２２】
以上に説明した第１実施形態の送風機は、図１に示すように、卓上あるいは床上など所望の場所に設置して使用される。下部スタンド３は、直立状態から左右に９０°以上の大きな範囲で角度調節可能であると共に、上部スタンド５も下部スタンド３を基準として、同じく左右に９０°以上の範囲で角度調節可能になっている。送風部９も、図３の矢印で示すように、起倒すべく独自に角度調節可能である。この構成によれば、図１に実線で示すように、スタンド３，５および送風部９をすべて直立な状態として使用される他、仮想線で示すように、スタンド３，５を適宜屈曲操作すれば、上部連結軸８の位置を上下および左右の複合方向に如何様にも移動調節することができ、すなわち、連結軸４，６，８の軸中心に直交する面内で自在に移動調節が可能であり、これにより、送風部９の位置も前記面前記で自在に移動調節可能になる。それに加えて、起倒支持軸１０を介して送風部９の角度も変更自在であり、前記面内移動のみでは到達し得ない広い範囲への送風が可能になる。なお、図１に符号Ｘは、装置全体を低くコンパクトにまとめて格納可能な状態を示す。
【００２３】
〈第２実施形態〉
図４は、第２実施形態の送風機を示す正面図、図５はその背面図、図６は図４の右側面図、図７は各送風部の向きを変えた状態を示す正面図、図８は図７の平面図である。
【００２４】
この実施形態の送風機は、ベース２０の上側に基部固定スタンド２１を立設して、その上にコンソールボックス２２と下段送風部２３を共に正面に向けた形で固定配置すると共に、下段送風部２３の上側に中段送風部２４と上段送風部２５とを上下直列に積み重ね状に配備してなり、中段送風部２４と上段送風部２５は、それぞれ回転部（縦軸）２６により支持されて、図７および図８に示すように、独立して全周３６０°向きを変更できるように、角度調節自在に連結されている。
【００２５】
この構成によれば、送風部２４，２５が縦軸回りに独立して角度調節自在とされているので、１台の送風機を設置すれば向きを対応させた送風部２４，２５によって、複数の人が送風を受けることが可能となり、特に、送風部２４，２５の一方を前に他方を後に向けることもできるので、前後に離れた人への送風も同時に可能になる。
【００２６】
なお、各送風部２３，２４，２５は、第１実施形態と同様に、ファン２７付き送風部本体２８を脱着可能な前枠２９と後枠３０との間に内装したものとされると共に、前枠２９および後枠３０は、それぞれフロントグリル３１とリアメッシュ３２を備えたものになっている。この送風部２３，２４，２５の各寸法も２０ｃｍ□前後の小型のものになっている。また、前記送風部２３，２４，２５の全体形状は正面からみて正四角形のほか、他の多角形、丸胴形、あるいは楕円胴形など他の幾何学形状であってもよく、送風部の段数も２段や４段以上とすることもある。さらに、前記下段送風部２３は固定式になっているが、この送風部２３も角度調節自在としてもよい。また、各回転部２６は、ファン２７の回転に伴う振動で向きが変動しない支持構造になっている。
【図面の簡単な説明】
【００２７】
【図１】本考案の第１実施形態に係る送風機を前方からみて示す正面図
【図２】図１の送風機の背面図
【図３】図１の送風機の右側面図
【図４】本考案の第２実施形態に係る送風機を示す正面図
【図５】図４の送風機の背面図
【図６】図４の送風機の右側面図
【図７】図４の送風機の送風部の向きを変えた状態を示す正面図
【図８】図７の送風機の平面図
【符号の説明】
【００２８】
１，２０                ベース
３，５                  スタンド
９，２３，２４，２５    送風部
【図１】
0003122979.tif 000003
【図２】
0003122979.tif 000004
【図３】
0003122979.tif 000005
【図４】
0003122979.tif 000006
【図５】
0003122979.tif 000007
【図６】
0003122979.tif 000008
【図７】
0003122979.tif 000009
【図８】
0003122979.tif 000010